(57)【要約】【課題】簡易な動作で２個の部材を互いに取り外すことができる取付構造を提供する。【解決手段】この発明の取付構造は、第１内側面１０Ａ及び第１内側面１０Ａに所定間隔をあけて対向配置された舌片１２を有する第１部材１０と、第１内側面１０Ａと係合する第１端面２０Ａ及び舌片１２と係合する第２端面２０Ｂを有する第２部材２０と、の取付構造である。舌片１２は、第２端面２０Ｂに接近する方向に弾性を有するとともに第２凹部１４，１５を有する。第２部材２０は、舌片１２の接近時に第２凹部１４，１５と係合する第２突起部２２，２３を第２端面２０Ｂに有する。取付構造は、取り外し用凹部１３をさらに備える。取り外し用凹部１３には、舌片１２を第２端面２０Ｂから離間する方向に撓ませる工具３０が挿入自在である。第２突起部２２，２３及び第２凹部１４，１５は、挿入方向において取り外し用凹部１３と重合しない位置に配置される。【選択図】図５
2007303658.tif 000002
【特許請求の範囲】
【請求項１】
所定の内側面及び前記内側面に所定間隔をあけて対向配置された舌片を有する第１部材と、前記所定間隔内に収納されて前記内側面に対向する第１端面及び前記舌片に対向する第２端面を有する第２部材と、の取付構造であって、
前記舌片は、前記第２端面に接近する方向に弾性を有するとともに所定の係合部を有し、
前記第２部材は、前記舌片の接近時に前記係合部と係合する係止部を前記第２端面に有し、
前記舌片を前記第２端面から離間する方向に撓ませる工具を所定の挿入方向に挿入自在な取り外し用凹部を備え、
前記係止部及び前記係合部は、前記挿入方向において前記取り外し用凹部と重合しない位置に配置されたことを特徴とする取付構造。
【請求項２】
前記係止部及び前記係合部のそれぞれは、前記挿入方向に直交する方向で前記取り外し用凹部を挟む２箇所に配置されたことを特徴とする請求項１に記載の取付構造。
【請求項３】
前記係止部及び前記係合部のうち、一方は突起部であり、他方は凹部であることを特徴とする請求項１または２に記載の取付構造。
【発明の詳細な説明】
【技術分野】
【０００１】
この発明は、所定の内側面及びその内側面に所定間隔をあけて対向配置された舌片を有する第１部材と、内側面と対向する第１端面及び舌片と対向する第２端面を有する第２部材と、の取付構造に関する。
【背景技術】
【０００２】
一方の部材の係止部と他方の部材の係合部とを係合させることで、一方の部材を他方の部材に取り付ける取付構造が、一般的に用いられている（例えば、特許文献１参照。）。
【０００３】
図１は、従来の取付構造の概略の構成を示す正面断面図である。図２（Ａ）及び図２（Ｂ）は、従来の取付構造の一部の構成を示す拡大図である。図３は、舌片及び突起部の構成を示す側面断面図である。
【０００４】
従来の取付構造によって、第１部材１と第２部材２とが取り付けられる。第２部材２は、第１部材１の互いに対向する２個の内側面１Ａ，１Ｂの間に取り付けられる。第１部材１は、内側面１Ｂ側に舌片３を有する。舌片３には、凹部３Ａ及び取り外し用凹部３Ｂが設けられる。舌片３は、図１において右方向に弾性を有する。第２部材２は、舌片３に対向する側の端部２Ｂに、突起部４を有する。
【０００５】
第２部材２を第１部材１に取り付ける場合、まず、第２部材２の一方の端部２Ａを第１部材１の一方の内側面１Ａに係合させ、次に、第２部材２の他方の端部２Ｂを矢印Ｐ方向に押し込むことで、端部２Ｂの突起部４を舌片３の凹部３Ａに係合させる。
【０００６】
第２部材２を第１部材１から取り外す場合は、図２（Ａ）に示すように、取り外し用凹部３Ｂから矢印Ｐ方向にマイナスドライバ等の工具５の先端部を挿入し、図２（Ｂ）に示すように、この状態で工具５をこじることで、舌片３と第２部材２の端部２Ｂとを離間させ、突起部４と凹部３Ａとの係合を解除する。これによって、第２部材２が第１部材１から取り外される。
【特許文献１】特開平６−１４１４３７号公報
【発明の開示】
【発明が解決しようとする課題】
【０００７】
しかし、図３に示すように、従来の取付構造では、工具５の挿入方向Ｐにおいて、取り外し用凹部３Ｂと第２部材２の突起部４とが重合している。このため、取り外し用凹部３Ｂから工具５を挿入したとき、工具５が突起部４に衝突してしまい、工具５を深く挿入することができない。したがって、舌片３と第２部材２の端部２Ｂとを離間させて凹部３Ａと突起部４との係合を解除するためには、工具５を挿入するという動作に加えて、工具５をこじるという動作も必要になる。
【０００８】
工具５をこじるためには、第１部材１の内側面１Ｂの縁部と第２部材２の端部２Ｂとの隙間の寸法Ｌ１を大きくしておく必要が生じる。また、工具５をこじた場合、第２部材２に傷が付く。
【０００９】
この発明の目的は、簡易な動作で２個の部材を互いに取り外すことができる取付構造を提供することにある。
【課題を解決するための手段】
【００１０】
この発明の取付構造は、所定の内側面及びこの内側面に所定間隔をあけて対向配置された舌片を有する第１部材と、内側面に対向する第１端面及び舌片に対向する第２端面を有する第２部材と、の取付構造である。舌片は、第２端面に接近する方向に弾性を有するとともに所定の係合部を有する。第２部材は、舌片の接近時に係合部と係合する係止部を第２端面に有する。取付構造は、取り外し用凹部を備える。取り外し用凹部には、舌片を第２端面から離間する方向に撓ませる工具が所定の挿入方向に挿入自在である。係止部及び係合部は、挿入方向において取り外し用凹部と重合しない位置に配置される。
【００１１】
この構成では、取り外し用凹部から挿入された工具が、係止部及び係合部と衝突しないので、工具が係止部及び係合部より深い位置まで挿入される。このため、工具をこじることなく、舌片と第２部材の第２端面とが所定寸法以上に離間し、係止部と係合部との係合が解除される。
【００１２】
この発明の取付構造では、係止部及び係合部のそれぞれは、挿入方向に直交する方向で取り外し用凹部を挟む２箇所に配置されていてもよい。
【００１３】
この構成では、取り外し用凹部から工具を挿入した場合に、工具の両隣に係止部及び係合部が配置されているので、工具を挿入するのみで、より簡易に係止部と係合部との係合が解除される。
【００１４】
この発明の取付構造では、例えば、係止部及び係合部のうち、一方を突起部とし、他方を凹部としてもよい。
【００１５】
この構成では、突起部と凹部とを係合させることによって第１部材と第２部材とが取り付けられる。そして、工具を挿入して舌片と第２部材の第２端面とを離間させ、凹部から突起部を抜くことで、第１部材と第２部材とが取り外される。
【発明の効果】
【００１６】
この発明の取付構造によれば、工具をこじることなく挿入するのみで、係止部と係合部との係合を解除して、第２部材を第１部材から取り外すことができる。このため、第１部材と第２部材とを互いに簡易な動作で取り外すことができる。また、第２部材の第２端面と第１部材の舌片側の内側面との隙間の寸法を小さくしても、第１部材と第２部材とを互いに取り外すことができるので、外観の見栄えがよくなる。さらに、工具をこじる必要がないので、第２部材の第２端面の損傷を防ぐことができる。
【００１７】
また、取り外し用凹部から挿入した工具の両隣に係止部及び係合部を配置することで、より簡易に係止部と係合部との係合を解除し、第１部材と第２部材とを取り外すことができる。
【００１８】
さらに、係止部及び係合部のうち、一方を突起部とし他方を凹部とすることで、第１部材と第２部材とを確実に取り付けることができるとともに、工具を挿入するのみで簡易に取り外すことができる。
【発明を実施するための最良の形態】
【００１９】
以下に、この発明を実施するための最良の形態について、図面に基づいて説明する。図４は、この発明の実施形態に係る取付構造の概略の構成を示す側面断面図である。図５は、取付構造の一部の構成を示す拡大図であり、図６は、舌片及び突起部の構成を示す底面断面図である。
【００２０】
第１部材１０と第２部材２０とは、この発明の取付構造によって互いに取り付けられている。第２部材２０は、第１部材１０の第１内側面１０Ａと、第１内側面１０Ａに所定間隔をあけて対向配置された第２内側面１０Ｂとの間に収納される。第１内側面がこの発明の内側面に相当する。
【００２１】
第１部材１０は、第１内側面１０Ａに第１凹部１１を有し、第２内側面１０Ｂ側に舌片１２を有する。舌片１２の先端部には、取り外し用凹部１３が設けられている。取り外し用凹部１３から、マイナスドライバ等の工具３０の先端部が矢印Ｐ方向に挿入される。また、図６に示すように、舌片１２には、先端部が幅広にされ、その下方の幅が狭くされたことで第２凹部１４，１５が形成されている。この実施形態では、第２凹部１４，１５は、この発明の係合部に相当する。
【００２２】
第２部材２０は、一方の端面である第１端面２０Ａに第１突起部２１を有し、反対側の端面である第２端面２０Ｂに例えば２個の第２突起部２２，２３を有する。この実施形態では、第２突起部２２，２３は、この発明の係止部に相当する。第１突起部２１は、第１凹部１１と係合し、第２突起部２２，２３のそれぞれは、第２凹部１４，１５と係合する。
【００２３】
矢印Ｐ方向における第２突起部２２の下流側の側面２２Ａは、矢印Ｐ方向の下流側ほど第２端面２０Ｂからの突出量が小さくなる方向に傾斜している。同様に、矢印Ｐ方向における第２突起部２３の下流側の側面２３Ａは、矢印Ｐ方向の下流側ほど第２端面２０Ｂからの突出量が小さくなる方向に傾斜している。
【００２４】
第２突起部２２，２３は、工具３０の挿入方向である矢印Ｐ方向において、取り外し用凹部１３と重合しない位置に配置されている。この実施形態では、第２突起部２２，２３は、第２端面２０Ｂ上であって矢印Ｐ方向に直交する方向で、取り外し用凹部１３を挟む２箇所に配置されている。
【００２５】
舌片１２は、第２部材２０の第２端面２０Ｂに接近する方向の弾性を有する。取り外し用凹部１３から、工具３０の先端部が矢印Ｐ方向に挿入されることで、舌片１２は、第２部材２０の第２端面２０Ｂから離間する方向に撓む。
【００２６】
第２部材２０を第１部材１０に取り付ける場合、まず、第２部材２０の第１端面２０Ａの第１突起部２１を第１部材１０の第１内側面１０Ａの第１凹部１１に係合させる。次に、第２部材２０の第２端面２０Ｂを矢印Ｐ方向に押し込むことで、第２端面２０Ｂの第２突起部２２，２３を舌片１２の第２凹部１４，１５に係合させる。これによって、第２部材２０が第１部材１０に取り付けられる。
【００２７】
第２部材２０を第１部材１０から取り外す場合は、図５（Ｂ）に示すように、取り外し用凹部１３から工具３０の先端部を矢印Ｐ方向に挿入することで、舌片１２と第２部材２０の第２端面２０Ｂとを離間させ、第２突起部２２，２３と第２凹部１４，１５との係合を解除する。
【００２８】
工具３０は、取り外し用凹部１３から矢印Ｐ方向に挿入されたとき、第２突起部２２，２３と衝突することなく第２突起部２２，２３より下方まで挿入自在にされる。このため、工具３０をこじることなく、舌片１２が第２部材２０の第２端面２０Ｂから離間する方向に撓み、舌片１２と第２端面２０Ｂとが所定寸法以上に離間し、第２突起部２２，２３と第２凹部１４，１５との係合が解除される。これによって、第２部材２０が第１部材１０から取り外される。
【００２９】
第２部材２０を第１部材１０から取り外すとき、図５（Ｂ）に示すように、第２凹部１４，１５との係合が解除された第２突起部２２，２３は、舌片１２の先端部１２Ａに乗り上げる。そして、第２突起部２２，２３の側面２２Ａ，２３Ａが舌片１２の先端部１２Ａに案内されるようにして、第２部材２０の第２端面２０Ｂ側が、矢印Ｐ方向の上流側へ浮き上がる。このため、第２部材２０を第１部材１０から取り外しやすくなる。
【００３０】
上述のように、第１部材１０と第２部材２０とは互いに簡易な動作で取り外される。また、第１部材１０と第２部材２０とを互いに取り外すために工具３０をこじる必要がないので、第２部材２０の第２端面２０Ｂと第１部材１０の第２内側面１０Ｂの上縁部との隙間の寸法Ｌ２を小さくできる。寸法Ｌ２は、少なくとも工具３０の先端部の直径（又は厚さ）より大きければよい。このため、外観の見栄えがよくなる。さらに、工具３０をこじる必要がないので、第２部材２０の第２端面２０Ｂの損傷を防ぐことができる。
【００３１】
また、取り外し用凹部１３から挿入した工具３０の両隣に第２突起部２２，２３及び第２凹部１４，１５を配置することで、より簡易に第２突起部２２，２３と第２凹部１４，１５との係合を解除し、第１部材１０と第２部材２０とを取り外すことができる。
【００３２】
なお、矢印Ｐ方向において第２部材２０の下流側の面のうち第２端面２０Ｂ側に、矢印Ｐ方向の上流側へ向かう弾性力を有する弾性部材を設けてもよい。これによれば、第２部材２０を第１部材１０から取り外すとき、第２部材２０の第２端面２０Ｂ側が、矢印Ｐ方向の上流側へ、より浮き上がりやすくなる。このため、第２部材２０を第１部材１０から、より取り外しやすくなる。
【００３３】
図７は、第２実施形態に係る取付構造の舌片４２及び突起部５２，５３の構成を示す底面断面図である。この実施形態では、舌片４２の第２凹部４４，４５の構成を除いて、第１実施形態と同様に構成されている。
【００３４】
この実施形態では、第２凹部４４，４５は、舌片４２に孔状に形成されている。第２凹部４４，４５のそれぞれは、第２部材２０の第２端面２０Ｂに設けられた第２突起部５２，５３のそれぞれと係合する。
【００３５】
この実施形態においても、第２突起部５２，５３及び第２凹部４４，４５は、工具３０の挿入方向である矢印Ｐ方向において、取り外し用凹部１３と重合しない位置に配置されている。このため、工具３０の挿入時に、第２突起部５２，５３と工具３０とが衝突せず、工具３０を挿入するのみで、第２突起部５２，５３と第２凹部４４，４５との係合が解除される。
【００３６】
図８（Ａ）は、第３実施形態に係る取付構造の一部の構成を示す拡大図であり、図８（Ｂ）は、舌片の構成を示す斜視図である。
【００３７】
この実施形態では、第２部材２０の第２端面２０Ｂに第２凹部７４，７５（但し、第２凹部７４は図示されていない。）が設けられ、舌片８２に第２突起部６２，６３が設けられていることを除いて、第１実施形態と同様に構成されている。
【００３８】
この実施形態においても、第２突起部６２，６３及び第２凹部７４，７５は、工具３０の挿入方向である矢印Ｐ方向において、取り外し用凹部１３と重合しない位置に配置されている。このため、工具３０の挿入時に、第２突起部６２，６３と工具３０とが衝突せず、工具３０を挿入するのみで、第２突起部６２，６３と第２凹部７４，７５との係合が解除される。
【００３９】
なお、第２部材２０の背面（矢印Ｐ方向において第２部材２０の下流側の面）、又は、第２部材２０の背面に対向する第１部材１０の面に、第２部材２０の背面とこれに対向する第１部材１０の面とを離間させる方向に付勢する付勢手段（例えば、バネなどの弾性部材）を、さらに備えてもよい。これによって、第２部材２０を第１部材１０から取り外すとき、矢印Ｐ方向の上流側へ第２部材２０が飛び出しやすくなり、より取り外しやすくなる。
【図面の簡単な説明】
【００４０】
【図１】従来の取付構造の概略の構成を示す側面断面図である。
【図２】従来の取付構造の一部の構成を示す拡大図である。
【図３】舌片及び突起部の構成を示す底面断面図である。
【図４】この発明の実施形態に係る取付構造の概略の構成を示す側面断面図である。
【図５】取付構造の一部の構成を示す拡大図である。
【図６】舌片及び突起部の構成を示す底面断面図である。
【図７】第２実施形態に係る取付構造の舌片及び突起部の構成を示す底面断面図である。
【図８】（Ａ）は、第３実施形態に係る取付構造の一部の構成を示す拡大図であり、（Ｂ）は、舌片の構成を示す斜視図である。
【符号の説明】
【００４１】
１０  第１部材
１０Ａ  第１内側面
１０Ｂ  第２内側面
１１  第１凹部
１２，４２，８２  舌片
１３  取り外し用凹部
１４，１５，４４，４５，７４，７５  第２凹部（係合部）
２０  第２部材
２０Ａ  第１端面
２０Ｂ  第２端面
２１  第１突起部
２２，２３，５２，５３，６２，６３  第２突起部
３０  工具
【図１】
2007303658.tif 000003
【図２】
2007303658.tif 000004
【図３】
2007303658.tif 000005
【図４】
2007303658.tif 000006
【図５】
2007303658.tif 000007
【図６】
2007303658.tif 000008
【図７】
2007303658.tif 000009
【図８】
2007303658.tif 000010